(57)【要約】【課題】  レンタルシップにおいて、盗難に遭うことなく、しかも簡単にＤＶＤ等を貸出す方法の提供。【解決手段】  レンタルショップの陳列棚には複数枚のレンタルカード２，２・・を収容したレンタル用カバーケース１を陳列し、このレンタルカード２，２・・には色彩、記号、番号などの識別標示がされ、カウンター後方のバック棚６に形成した仕切り空間７，７・・にはＤＶＤやＣＤ等を収容した貸出しケース４，４・・を配置すると共に、該バック棚６の各仕切り空間７，７・・は色彩、記号、番号などの識別標示がなされ、仕切り空間７，７・・に配置される貸出しケース４，４・・に付されている色彩、記号、番号などの識別標示と共通化し、客が上記レンタル用カバーケース１から抜き取ってカウンターに持って来たレンタルカード２の標示を基にして貸出しケース４を探し出してＤＶＤやＣＤ等を貸し出す。【選択図】    図１
2009058746.tif 000002
【特許請求の範囲】
【請求項１】
ＤＶＤやＣＤ等を貸し出す方法において、レンタルショップの陳列棚には複数枚のレンタルカードを収容したレンタル用カバーケースを陳列し、このレンタルカードには色彩、記号、番号などの識別標示がされ、カウンター後方のバック棚に形成した仕切り空間にはＤＶＤやＣＤ等を収容した貸出しケースを配置すると共に、該バック棚の各仕切り空間は色彩、記号、番号などの識別標示がなされ、仕切り空間に配置される貸出しケースに付されている色彩、記号、番号などの識別標示と共通化し、客が上記レンタル用カバーケースから抜き取ってカウンターに持って来たレンタルカードの標示を基にして貸出しケースを探し出してＤＶＤやＣＤ等を貸し出すことを特徴とするＤＶＤ等の貸出し方法。
【請求項２】
ＤＶＤやＣＤ等を貸出す為にレンタルショップの陳列棚に陳列されるレンタルカードにおいて、該レンタルカードはレンタル用カバーケースの上端より突出し、そしてカウンターの後方に設けたバック棚に配置されるＤＶＤ等を収容した貸出しケースに付されている色彩、記号、番号などの標示と符合したことを特徴とするレンタルカード。
【発明の詳細な説明】
【技術分野】
【０００１】
本発明はレンタルショップにてＤＶＤ、ＣＤ等を貸し出しする方法、及びこの貸出しに際して用いるレンタルカードに関するものである。
【背景技術】
【０００２】
音楽や映像を記録したＣＤ，ＤＶＤ等の円盤状記録媒体(ディスク)、ビデオテープ、及び雑誌等は、貸出しケースに収納された状態でレンタルされる。そして、該貸出しケースはレンタル用カバーケースに入れられてレンタルショップの陳列棚に配列されている。図      は従来から周知であるビデオテープやＤＶＤのレンタル形態を示している場合であるが、レンタル用カバーケース（イ）には上端が開口していて、この上端開口からビデオテープやＤＶＤを収納している貸出しケース（ロ）が収容されている。この場合、貸出しケース（ロ）の上端部はレンタル用カバーケース（イ）から上方へ突出している。
【０００３】
客は借りたいＤＶＤ等をレンタル用カバーケース（イ）から抜き取ってカウンターへ持って行き、所定の手続を経て借りることが出来る。勿論、ＤＶＤを収容した貸出しケース（ロ）ごと借りる訳であるが、カウンターでは貸出しケース（ロ）を開くことが出来るようにロックが解除される。そして、レンタル用カバーケース（イ）はそのまま棚に陳列されている。
【０００４】
このように、ＤＶＤ等を貸出しケース（ロ）に収容した状態でレンタル用カバーケース（イ）に入れて棚に陳列することで、貸し出し手続が簡略化される。この貸し出し方法に関する発明は平成４年３月７日付けで特許出願され、平成９年１０月２４日に登録され（特許第２１３２８６８号）、今は出願人が所有している。
【０００５】
このように、貸出しケース（ロ）に収容した状態で陳列棚のレンタル用カバーケース（イ）に入れて陳列されるが、盗難に遭わないように色々な工夫はされているが、この盗難を完全に防止することは容易でない。特に、高価なＤＶＤが盗難に遭うことでレンタルショップは大きな損失を被る。
【０００６】
昔のレンタル方法のように、陳列棚に空ケースを陳列しておくならば、盗難に遭うことはないが、このレンタル方式では、レンタル業務に人手がかかってしまう。又、陳列棚に数多くの空ケースを陳列しなくてはならず、スペース上の問題もある。
【特許文献１】特許第２１３２８６８号に係る「ビデオテープの陳列方法及び陳列用ケース」
【発明の開示】
【発明が解決しようとする課題】
【０００７】
このように、ＤＶＤ等のレンタル方法には上記のごとき問題がある。本発明が解決しようとする課題はこれら問題点であり、盗難を防止すると共に、貸し出し業務に手間がかからないようにしたレンタル方法、及びレンタルに際して用いるレンタルカードを提供する。
【課題を解決するための手段】
【０００８】
本発明に係るＤＶＤ等のレンタル方法は、レンタル用カバーケースは従来通り用いるが、このレンタル用カバーケースにはＤＶＤ等を入れた貸出しケースを収容しておらず、その代わりレンタルカードを収容している。しかも、１つのレンタル用カバーケースに複数枚収容し、その上端部は突出した状態とする。このレンタルカードは一般に樹脂製とし、色彩、記号、番号などの標示が付されている。
【０００９】
一方、バック棚には貸出しケースにＤＶＤ等を収容した状態で配列されているが、該貸出しケースにも色彩、記号、番号などの標示が付されて、上記レンタルカードと符合している。ところで、バック棚に配列される貸出しケースは、色彩、符合、番号などの標示を基に配列され、レンタルカードに付されている色彩、符合、番号などの標示から瞬時に探し出すことが可能と成っている。バック棚にも所望の貸出しケースを探し易いように標示が付されている。
【発明の効果】
【００１０】
本発明のレンタル方法では、客は陳列棚に陳列されているレンタル用カバーケースからレンタルカードを抜き取り、これをカウンターへ持って行くと、店員は該レンタルカードに付されている色彩、記号、番号などの標示を基にして貸出しケースを瞬時に探すことが出来る。客はレンタル用カバーケースから突出して収容されているレンタルカードを簡単に抜き取ることが出来る。
【００１１】
本発明のレンタル方法では、ＤＶＤ等が貸出しケースに収容された状態でバック棚に配列している為に、盗難に遭うことはない。そして、レンタルカードと貸出しカードとは同じ色彩、記号、番号などの標示が付されている為に、又バック棚にも所定の標示が付されている為に、レンタルカードを基にして直ちに貸出しケースを探すことが可能であり、貸出し業務に手間がかからない。
【実施例】
【００１２】
図１はレンタル用カバーケース１に３枚のレンタルカード２，２，２を入れた場合であり、本発明ではこの状態でレンタルショップの陳列棚に配置される。このレンタル用カバーケース１は、従来のレンタル用カバーケース、すなわちＤＶＤを収容した貸出しケースが入ることが出来るケースと同じであり、レンタルカード２，２，２はその上端部が突出していて、客はこのレンタルカード２を簡単に抜き取ることが出来る。そして、レンタル用カバーケース１の表面にはタイトル紙が分かるように取付けられている。例えば、従来のレンタル用カバーケースの場合と同じくタイトル紙は透明な表面シートに挟まれている。
【００１３】
図２はレンタルカード２を単独で表しているもので、その縦横寸法は従来の貸出しケースと同じであるが、厚さは約１／３と成っている。従って、同じ大きさのレンタル用カバーケース１に３枚のレンタルカードを入れることが出来る。レンタルカード２は赤、黄色、緑・・・などの色彩を有し、上端部には「貸出しＯＫ」、又は貸出すことが出来る旨の表示が付されている。そして、表面にはＤＶＤのタイトル、例えば「スパイダーマン」と表示されている。更には、「Ａ−１−赤」の記号及び番号が付されている。このレンタルカード２は一般に樹脂製である。
【００１４】
図３はＤＶＤ３を収容している貸出しケース４である。この貸出しケース４は本体と蓋体から成り、本体中央に突出している「ヘソ（凸部）」にＤＶＤ３の中央穴が嵌って取付けられている。そして、貸出しケース４の上端部は、赤、黄色、緑・・・などの色彩ライン５を有し、又「Ａ−１−赤」の符合及び番号が付されている。ＤＶＤ３のタイトルは透明な貸出しケース４を通して見ることが出来るので、あえて貸出しケース４の表面には表示していない。
【００１５】
図４はバック棚６に配置されている貸出しケース４，４・・とレンタルカード２，２・・を表している。バック棚６は複数に仕切られていて、この各仕切り空間７，７・・には上記貸出しケース４，４・・とレンタルカード２，２・・が入れられ、貸出しケース内にはＤＶＤ３が収容されている。図４に示すバック棚は、縦３列、横１０列を有し、３０の仕切り空間７，７・・が形成されている。そして、縦列にはＡ，Ｂ，Ｃの符合が付され、横列には番号１，２，３・・が付されている。
【００１６】
そこで、Ａ列−１番の仕切り空間７には図３に示したＡ−１−赤なる符号が付されている貸出しケース４，４・・が配置され、同じく図２に示したＡ−１−赤の符号が付されているレンタルカード２，２・・が配置される。同じように、Ｃ列−５番の仕切り空間７には、Ｃ−５−黄色の符合が付されている貸出しケース４，４・・及びレンタルカード２，２・・が配置される。  他の仕切り空間７，７・・にも、夫々の符合が付されている貸出しケース４，４・・及びレンタルカード２，２・・が配置される。
【００１７】
ところで、客はレンタルショップの陳列棚に陳列されているレンタル用カバーケース１からレンタルカード２を抜き取る。レンタル用カバーケース１にはＤＶＤ等のタイトル紙が取付けられているために、借りたいものはレンタルカード２が入っているレンタル用カバーケース１を見れば分かる。この点は、従来の貸出し方法と同じであるが、本発明ではレンタル用カバーケース１にレンタルカード２が収容されている為に、このレンタルカード２を１枚抜き取ることが出来る。
【００１８】
抜き取り易いように、レンタルカード２の上端部はレンタル用カバーケース１から突出している。このレンタルカード２には前記図２に示すように、色彩、記号、番号が付されている。勿論、ＤＶＤ３のタイトル名（例えば、スパイダーマン）も表示されている。このレンタルカード２をカウンターへ持って行くことで、店員はこのレンタルカード２に標示されている色彩、記号、番号を基にして貸出しケース４を探すことが出来る。
【００１９】
一方、客がレンタルカード２をレンタル用カバーケースから一旦抜き取り、その後、借りることなく戻す場合もあるが、該レンタルカード２は色分けされている為に正しく戻すことが出来る。仮に間違ったレンタル用カバーケース１に入っている場合には他のレンタルカード２と色が違うことで直ぐに分かる。
【００２０】
そして、バック棚６の仕切り空間７にはレンタルカード２，２・・が配置され、この枚数にて貸出し数量が直ちに把握できる。勿論、１つの仕切り空間７に複数の貸出しケース４，４・・、及びレンタルカード２，２・・を配置することも可能である。貸出しケース４，４・・及びレンタルカード２，２・・は色分けされていることで、１つの仕切り空間７に配置しても混同することはなく、バック棚６を有効に使用できる。
【図面の簡単な説明】
【００２１】
【図１】レンタル用カバーケースに収容されているレンタルカード。
【図２】レンタルカードの具体例。
【図３】貸出しケースの具体例。
【図４】バック棚の具体例。
【図５】レンタル用カバーケースに貸出しケースを収容している従来例。
【符号の説明】
【００２２】
１  レンタル用カバーケース
２  レンタルカード
３  ＤＶＤ
４  貸出しケース
５  色彩ライン
６  バック棚
７  仕切り空間
【図１】
2009058746.tif 000003
【図２】
2009058746.tif 000004
【図３】
2009058746.tif 000005
【図４】
2009058746.tif 000006
【図５】
2009058746.tif 000007